(57)【要約】      （修正有）【課題】軽量鉄骨フレームに配される天井板に強固に固定でき、光線を集中できる天井板用発光ダイオード照明装置を提供する。【解決手段】天井板１０と、ラジエータ３０と、回路板４０と、複数の発光ダイオード５０と、笠６０と、拡散膜７０と、を備え、ラジエータ３０が天井板１０に固定され、回路板４０がラジエータ３０を覆うように固定され、発光ダイオード５０が回路板４０と電気的に接続されてなる。また、笠６０は、回路板４０に固定され、複数の発光ダイオード５０を囲む複数の反射コップ６１を有し、複数の反射コップ６１は開口６１１をそれぞれ有し、拡散膜７０は、笠６０の開口６１１を覆うように設けられ、透明な材料を採用し、その表面に透明突起７１が複数設けられる少なくとも一つの発光ダイオード照明モジュール２０と、を含む。【選択図】図３
0003179339.tif 000002
【実用新案登録請求の範囲】
【請求項１】
天井板（１０）と、
ラジエータ（３０）と、回路板（４０）と、複数の発光ダイオード（５０）と、笠（６０）と、拡散膜（７０）と、を備え、前記ラジエータ（３０）が前記天井板（１０）に固定され、前記回路板（４０）が前記ラジエータ（３０）を覆うように固定され、前記発光ダイオード（５０）が前記回路板（４０）と電気的に接続し、前記笠（６０）は、前記回路板（４０）に固定され、複数の前記発光ダイオード（５０）を囲む複数の反射コップ（６１）を有し、複数の前記反射コップ（６１）は開口（６１１）をそれぞれ有し、前記拡散膜（７０）は、前記笠（６０）の前記開口（６１１）を覆うように設けられ、透明な材料を採用し、その表面に透明突起（７１）が複数設けられる少なくとも一つの発光ダイオード照明モジュール（２０）と、
を含むことを特徴とする天井板用発光ダイオード照明装置。
【請求項２】
前記反射コップ（６１）の内面には、複数本の反射皺（６２）が設けられることを特徴とする、請求項１に記載の天井板用発光ダイオード照明装置。
【請求項３】
前記笠（６０）の外部に複数本の支持枠（６３）が設けられ、螺子（９０）は、前記ラジエータ（３０）と前記回路板（４０）とを挿通して、前記支持枠（６３）にねじ込まれることを特徴とする、請求項１に記載の天井板用発光ダイオード照明装置。
【請求項４】
前記ラジエータ（３０）に放熱フィン（３２）が設けられることを特徴とする、請求項１に記載の天井板用発光ダイオード照明装置。
【請求項５】
複数の前記発光ダイオード（５０）と複数の前記反射コップ（６１）とは、並ぶように前記回路板（４０）に設けられることを特徴とする、請求項１に記載の天井板用発光ダイオード照明装置。
【請求項６】
前記発光ダイオード照明モジュール（２０）は、二個あり、横方向に沿って配列するように前記天井板（１０）に固定されることを特徴とする、請求項１に記載の天井板用発光ダイオード照明装置。
【請求項７】
前記発光ダイオード照明モジュール（２０）は、二個あり、縦方向に沿って配列するように前記天井板（１０）に固定されることを特徴とする、請求項１に記載の天井板用発光ダイオード照明装置。
【請求項８】
前記ラジエータ（３０）の両側には、前記天井板（１０）に粘着される凸板（３１）がそれぞれ設けられることを特徴とする、請求項１に記載の天井板用発光ダイオード照明装置。
【考案の詳細な説明】
【技術分野】
【０００１】
本考案は、発光ダイオードの笠に関し、特に、天井板に配される発光ダイオード照明装置に関するものである。
【背景技術】
【０００２】
従来の照明装置は、体積がより大きく、笠を使用して全体の外形が碗形状を呈し、電力の消費が多い。配列されている複数の従来の照明装置は、その光線が互いに重なる。そして従来の照明装置からの光線の光度は不安定であるため、ユーザの目が疲労しやすい。
【０００３】
なお、発光ダイオードの発光方式及び電力供給方式は、従来の照明装置と異なるため、全体の照明設計は従来の照明装置の設計を流用することができない。特に、発光ダイオードは、多数の点状の発光部を有するため、光を拡散させるための構成や笠などの設計に力を入れて、発光ダイオードの特有の発光方式及び電力供給方式によって生ずる問題を解決することが必要である。
【０００４】
また、図１に示すように、従来の発光ダイオードの照明装置は、軽量鉄骨フレーム１に組付けて天井板に配され、発光ダイオード照明モジュール２を線状に配することが必要である。これにより、発光ダイオード照明モジュール２の両端３を軽量鉄骨フレーム１に掛けることができ、発光ダイオード照明モジュール２の中央部４に発光ダイオード５が設けられるため、天井板から光線を射出して周囲を照らすことができる。
【０００５】
しかしながら、発光ダイオード照明モジュール２を組付けるためには、専用の構造が必要であるために、天井板６を特別に製造し、又は天井板６の寸法を縮小することが必要である。そして軽量鉄骨フレーム１に配するときに、他の発光ダイオード照明モジュール２に衝突しないように注意することも必要である。なぜならば、発光ダイオード照明モジュール２は、衝突されてずれると、軽量鉄骨フレーム１から離脱して落下しやすいからである。このように、天井板に発光ダイオード照明モジュール２を組み付ける場合には、取付及び保全が容易ではない。
【考案の概要】
【考案が解決しようとする課題】
【０００６】
本考案の主な目的は、軽量鉄骨フレームに配される天井板に強固に固定でき、光線を集中できる天井板用発光ダイオード照明装置を提供することにある。
【課題を解決するための手段】
【０００７】
本考案の天井板用発光ダイオード照明装置によると、天井板１０と、ラジエータ３０と、回路板４０と、複数の発光ダイオード５０と、笠６０と、拡散膜７０と、を備え、ラジエータ３０が天井板１０に固定され、回路板４０がラジエータ３０を覆うように固定され、発光ダイオード５０が回路板４０と電気的に接続し、笠６０は、回路板４０に固定され、複数の発光ダイオード５０を囲む複数の反射コップ６１を有し、複数の反射コップ６１は開口６１１をそれぞれ有し、拡散膜７０は、笠６０の開口６１１を覆うように設けられ、透明な材料を採用し、その表面に透明突起７１が複数設けられる少なくとも一つの発光ダイオード照明モジュール２０と、を含むことを特徴とする。
【０００８】
本考案の天井板用発光ダイオード照明装置によると、反射コップ６１の内面には、複数本の反射皺６２が設けられることを特徴とする。
【０００９】
本考案の天井板用発光ダイオード照明装置によると、笠６０の外部に複数本の支持枠６３が設けられ、螺子９０は、ラジエータ３０と回路板４０とを挿通して、支持枠６３にねじ込まれることを特徴とする。
【００１０】
本考案の天井板用発光ダイオード照明装置によると、ラジエータ３０に放熱フィン３２が設けられることを特徴とする。
【００１１】
本考案の天井板用発光ダイオード照明装置によると、複数の発光ダイオード５０と複数の反射コップ６１とは、並ぶように回路板４０に設けられることを特徴とする。
【００１２】
本考案の天井板用発光ダイオード照明装置によると、発光ダイオード照明モジュール２０は、二個あり、横方向に沿って配列するように天井板１０に固定されることを特徴とする。
【００１３】
本考案の天井板用発光ダイオード照明装置によると、発光ダイオード照明モジュール２０は、二個あり、縦方向に沿って配列するように天井板１０に固定されることを特徴とする。
【００１４】
本考案の天井板用発光ダイオード照明装置によると、ラジエータ３０の両側には、天井板１０に粘着される凸板３１がそれぞれ設けられることを特徴とする。
【考案の効果】
【００１５】
本考案の天井板用発光ダイオード照明装置によれば、軽量鉄骨フレームに配される天井板に強固に固定でき、光線を集中できるという効果を有する。
【図面の簡単な説明】
【００１６】
【図１】従来の発光ダイオード照明装置の取付を示す斜視図である。
【図２】本考案の実施例１の構成を示す正面図である。
【図３】本考案の実施例１の構成を示す断面図である。
【図４】本考案の実施例２の構成を示す正面図である。
【図５】本考案の実施例２の構成を示す断面図である。
【図６】本考案の実施例３の構成を示す正面図である。
【図７】本考案の実施例４の構成を示す正面図である。
【図８】本考案の実施例５の構成を示す正面図である。
【考案を実施するための形態】
【００１７】
以下、本考案の実施の形態を図面に基づいて説明する。
図２及び図３を参照する。図２は本考案の実施例１の構成を示す正面図であり、図３は本考案の実施例１の構成を示す断面図である。本考案の天井板用発光ダイオード照明装置は、天井板１０と、少なくとも一つの発光ダイオード照明モジュール２０と、を含む。発光ダイオード照明モジュール２０は、ラジエータ３０と、回路板４０と、複数の発光ダイオード５０と、笠６０と、拡散膜７０と、を含む。ラジエータ３０は、天井板１０に固定され、その両側には、天井板１０に粘着される凸板３１がそれぞれ設けられる。凸板３１は、例えば両面テープなどによって天井板１０に粘着される。ラジエータ３０に放熱フィン３２が設けられる。放熱フィン３２がラジエータ３０の表面に設けられると、放熱能力を増加できる。
【００１８】
回路板４０はラジエータ３０を覆うように固定される。発光ダイオード５０は回路板４０と電気的に接続する。笠６０は、回路板４０に固定され、複数の発光ダイオード５０を囲む複数の反射コップ６１を有し、複数の反射コップ６１内に反射皺６２が複数設けられる。笠６０の外部に複数本の支持枠６３が設けられる。螺子９０は、ラジエータ３０と回路板４０とを挿通して、支持枠６３にねじ込まれる。これにより、支持枠６３は回路板４０に固定される。なお、表示を便利にするために、図２において、拡散膜７０が描かれていない。同じように、図４、図６及び図８には、拡散膜７０も描かされていない。
【００１９】
また、複数の反射コップ６１は開口６１１をそれぞれ有する。光線は開口６１１を経由して外部に射出される。拡散膜７０は、笠６０の開口６１１を覆うように設けられ、透明な材料を採用し、その表面に透明突起７１が複数設けられる。拡散膜７０の機能は均一な面光源を提供することにある。拡散膜７０は、基材に多数の化学粒が設けられ、前記化学粒が散乱粒子とされ、これにより、光線は、拡散膜７０を経由しているときに、屈折率が異なる二つの媒質を通過するため、光線が拡散される。すなわち、拡散膜７０により、複数の光源からの光線が拡散されて、均一な面光源を提供できる。
【００２０】
図４及び図５を参照する。図４は本考案の実施例２の構成を示す正面図であり、図５は本考案の実施例２の構成を示す断面図である。複数の発光ダイオード５０と複数の反射コップ６１とは、並ぶように回路板４０に設けられる。このように配列することで、光度を増加できる。図６は本考案の実施例３の構成を示す正面図であり、図６に示すように、発光ダイオード照明モジュール２０は四つあり、天井板１０を囲むように設けられ、これにより、光度を増加できると共に、射出される光線の面的均一度を向上できる。
【００２１】
図７及び図８を参照する。図７は本考案の実施例４の構成を示す正面図であり、図８は本考案の実施例５の構成を示す正面図である。放熱効果を増加するために、本考案の発光ダイオード照明モジュール２０は、図７に示すように、二つあり、横方向に沿って配列するように天井板１０に固定される。もちろん、本考案の発光ダイオード照明モジュール２０は、図８に示すように、二つあり、縦方向に沿って配列するように天井板１０に固定されてもよい。
【００２２】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２３】
本考案は、発光ダイオード照明装置に適用することができる。
【符号の説明】
【００２４】
１０  天井板
２０  発光ダイオード照明モジュール
３０  ラジエータ
３１  凸板
３２  放熱フィン
４０  回路板
５０  発光ダイオード
６０  笠
６１  反射コップ
６２  反射皺
６３  支持枠
７０  拡散膜
７１  透明突起
９０  螺子
６１１  開口
【図１】
0003179339.tif 000003
【図２】
0003179339.tif 000004
【図３】
0003179339.tif 000005
【図４】
0003179339.tif 000006
【図５】
0003179339.tif 000007
【図６】
0003179339.tif 000008
【図７】
0003179339.tif 000009
【図８】
0003179339.tif 000010